(57)【特許請求の範囲】
【請求項１】
キャリア・アグリゲーションを用いるワイヤレス通信ネットワークにおけるソースｅＮＢにおいて、宛先ｅＮＢにユーザ機器のサービスをハンドオーバするための方法であって、
Ａ．前記宛先ｅＮＢと共同でプライマリ・コンポーネント・キャリアを決定するステップと、
Ｂ．前記宛先ｅＮＢから前記ユーザ機器に伝送されるハンドオーバ命令を受信するステップであって、前記ハンドオーバ命令は、前記プライマリ・コンポーネント・キャリアの指示情報を含むステップと、
Ｃ．前記ユーザ機器に前記ハンドオーバ命令を転送するステップと、
を含み、
前記ステップＡは、
−前記ユーザ機器から測定情報を受信するステップと、
−前記測定情報に従って所定のプライマリ・コンポーネント・キャリアを決定するステップと、
−前記所定のプライマリ・コンポーネント・キャリアの指示情報について前記宛先ｅＮＢに通知するステップと、
−前記宛先ｅＮＢからフィードバックされたトラフィック負荷情報を受信するステップと、
−前記トラフィック負荷情報および前記測定情報に従って前記プライマリ・コンポーネント・キャリアを決定するステップと、
を含むことを特徴とする方法。
【請求項２】
キャリア・アグリゲーションを用いるワイヤレス通信ネットワークにおけるソースｅＮＢにおいて、宛先ｅＮＢにユーザ機器のサービスをハンドオーバするための方法であって、
Ａ．前記宛先ｅＮＢと共同でプライマリ・コンポーネント・キャリアを決定するステップと、
Ｂ．前記宛先ｅＮＢから前記ユーザ機器に伝送されるハンドオーバ命令を受信するステップであって、前記ハンドオーバ命令は、前記プライマリ・コンポーネント・キャリアの指示情報を含むステップと、
Ｃ．前記ユーザ機器に前記ハンドオーバ命令を転送するステップと、
を含み、
前記ステップＡは、
−前記ユーザ機器から前記宛先ｅＮＢのコンポーネント・キャリアに関する測定情報を受信するステップと、
−前記宛先ｅＮＢに前記測定情報を転送するステップと、
を含み、
前記プライマリ・コンポーネント・キャリアは、前記宛先ｅＮＢのトラフィック負荷および前記測定情報に従って、前記宛先ｅＮＢによって決定される
ことを特徴とする方法。
【請求項３】
前記ステップＡは、
−前記宛先ｅＮＢに前記コンポーネント・キャリアに関連するセキュリティ・キーを転送するステップ、
をさらに含む、請求項２に記載の方法。
【請求項４】
前記ハンドオーバ命令は、専用のプリアンブル割り当て情報をさらに含む、請求項１又は２に記載の方法。
【請求項５】
−少なくとも１つのセカンダリ・コンポーネント・キャリアを決定するステップと、
−前記宛先ｅＮＢに前記少なくとも１つのセカンダリ・コンポーネント・キャリアの指示情報を伝送するステップと、
をさらに含み、
前記ステップＢで受信された前記ハンドオーバ命令は、前記少なくとも１つのセカンダリ・コンポーネント・キャリアの前記指示情報をさらに含む、
請求項１又は２に記載の方法。
【請求項６】
キャリア・アグリゲーションを用いるワイヤレス通信ネットワークにおける宛先ｅＮＢにおいて、ソースｅＮＢから前記宛先ｅＮＢにユーザ機器のサービスをハンドオーバするための方法であって、
ａ．前記ソースｅＮＢと共同でプライマリ・コンポーネント・キャリアを決定するステップと、
ｂ．前記ユーザ機器に伝送されることになるハンドオーバ命令を前記ソースｅＮＢに伝送するステップであって、前記ハンドオーバ命令は、前記プライマリ・コンポーネント・キャリアの指示情報を含むステップと、
を含み、
前記ステップａは、
−前記ソースｅＮＢから所定のプライマリ・コンポーネント・キャリアの指示情報を受信するステップと、
−トラフィック負荷に従って、前記プライマリ・コンポーネント・キャリアとして、前記所定のプライマリ・コンポーネント・キャリアを決定するべきかどうかを決定するステップと、
を含むことを特徴とする方法。
【請求項７】
前記ステップａは、
−前記所定のプライマリ・コンポーネント・キャリアが前記プライマリ・コンポーネント・キャリアとして決定されなかった場合、前記所定のプライマリ・コンポーネント・キャリアより低いトラフィック負荷を持つコンポーネント・キャリアの指示情報について前記ソースｅＮＢに通知するステップ、または
−前記所定のプライマリ・コンポーネント・キャリアが前記プライマリ・コンポーネント・キャリアとして決定された場合、前記ソースｅＮＢに前記プライマリ・コンポーネント・キャリアに関する承認情報を伝送するステップ、
をさらに含む、請求項６に記載の方法。
【請求項８】
キャリア・アグリゲーションを用いるワイヤレス通信ネットワークにおける宛先ｅＮＢにおいて、ソースｅＮＢから前記宛先ｅＮＢにユーザ機器のサービスをハンドオーバするための方法であって、
ａ．前記ソースｅＮＢと共同でプライマリ・コンポーネント・キャリアを決定するステップと、
ｂ．前記ユーザ機器に伝送されることになるハンドオーバ命令を前記ソースｅＮＢに伝送するステップであって、前記ハンドオーバ命令は、前記プライマリ・コンポーネント・キャリアの指示情報を含むステップと、
を含み、
前記ステップａは、
−前記ソースｅＮＢから前記ユーザ機器の測定情報を受信するステップと、
−前記測定情報および前記宛先ｅＮＢのトラフィック負荷に従ってプライマリ・コンポーネント・キャリアを決定するステップと、
を含むことを特徴とする方法。
【請求項９】
前記ハンドオーバ命令は、専用のプリアンブル割り当て情報をさらに含む、請求項６又は８に記載の方法。
【請求項１０】
−少なくとも１つのセカンダリ・コンポーネント・キャリアを決定するステップ、
をさらに含み、
前記ステップｂの前記ハンドオーバ命令は、前記少なくとも１つのセカンダリ・コンポーネント・キャリアの指示情報をさらに含む、
請求項６又は８に記載の方法。
【請求項１１】
キャリア・アグリゲーションを用いるワイヤレス通信ネットワークにおけるソースｅＮＢにおいて、宛先ｅＮＢにユーザ機器のサービスをハンドオーバするための第１のハンドオーバ装置であって、
前記宛先ｅＮＢと共同でプライマリ・コンポーネント・キャリアを決定するように構成された第１の決定デバイスと、
前記宛先ｅＮＢから前記ユーザ機器に伝送されるハンドオーバ命令を受信するように構成された第１の受信デバイスであって、前記ハンドオーバ命令は、前記プライマリ・コンポーネント・キャリアの指示情報を含む第１の受信デバイスと、
前記ユーザ機器に前記ハンドオーバ命令を転送するように構成された命令転送デバイスと、
を含み、
前記第１の決定デバイスは、
−前記ユーザ機器から測定情報を受信し、
−前記測定情報に従って所定のプライマリ・コンポーネント・キャリアを決定し、
−前記所定のプライマリ・コンポーネント・キャリアの指示情報について前記宛先ｅＮＢに通知し、
−前記宛先ｅＮＢからフィードバックされたトラフィック負荷情報を受信し、
−前記トラフィック負荷情報および前記測定情報に従って前記プライマリ・コンポーネント・キャリアを決定するように構成されていることを特徴とする装置。
【請求項１２】
キャリア・アグリゲーションを用いるワイヤレス通信ネットワークにおける宛先ｅＮＢにおいて、ソースｅＮＢから前記宛先ｅＮＢにユーザ機器のサービスをハンドオーバするための第２のハンドオーバ装置であって、
前記ソースｅＮＢと共同でプライマリ・コンポーネント・キャリアを決定するように構成された第２の決定デバイスと、
前記ユーザ機器に伝送されることになるハンドオーバ命令を前記ソースｅＮＢに伝送するように構成された命令伝送デバイスであって、前記ハンドオーバ命令は、前記プライマリ・コンポーネント・キャリアの指示情報を含む命令伝送デバイスと、
を含み、
前記第２の決定デバイスは、
−前記ソースｅＮＢから所定のプライマリ・コンポーネント・キャリアの指示情報を受信し、
−トラフィック負荷に従って、前記プライマリ・コンポーネント・キャリアとして、前記所定のプライマリ・コンポーネント・キャリアを決定するべきかどうかを決定するように構成されていることを特徴とする装置。
【発明の詳細な説明】
【技術分野】
【０００１】
本開示はワイヤレス通信ネットワークにおける通信の分野に関し、より具体的には、キャリア・アグリゲーションを用いるワイヤレス通信ネットワークにおいて２つのｅＮＢの間でユーザ機器をハンドオーバするための方法および装置に関する。
【背景技術】
【０００２】
現在、ユーザ機器（ＵＥ）は、Ｌｏｎｇ  Ｔｅｒｍ  Ｅｖｏｌｕｔｉｏｎ（ＬＴＥ）システムにおいて２０Ｍ以下の１つのキャリア・リソースのみで構成されており、システムに１つのキャリアしかないため、ハンドオーバ手順は、システム内のユーザ機器がユーザ機器に最初にサービスを提供しているｅＮＢ（つまりソースｅＮＢ）から他のｅＮＢ（つまり宛先ｅＮＢ）にハンドオーバされるときに、キャリアを通じて直接実行される。
【０００３】
ＬＴＥ−Ａｄｖａｎｃｅｄでサポートされているキャリア・アグリゲーションは、連続しないキャリアの帯域内および帯域間のアグリゲーションに加えて、連続するキャリアのアグリゲーションも含み、最大１００ＭＨｚのアグリゲーションされうる最大帯域幅を持っている。したがって、１個から５個のコンポーネント・キャリアをマクロ・セルでサポートすることができ、各コンポーネント・キャリアは、ＬＴＥ−ＡにＬＴＥと互換性を持たせるために、ＬＴＥと下位互換のキャリアとして構成されうることになるため、各コンポーネント・キャリアは、２０Ｍ以下の帯域幅を持つ。キャリア・アグリゲーションの前述の用途シナリオでは、ユーザ機器がソースｅＮＢから宛先ｅＮＢにハンドオーバされている間に、ハンドオーバ手順においてコンポーネント・キャリアを選択する必要がある。残念ながら、キャリア・アグリゲーションのシナリオにおいてソースｅＮＢから宛先ｅＮＢへのユーザ機器のハンドオーバをサポートする技術的解決法は、既存のＬＴＥ−Ａシステムには不在であった。
【発明の概要】
【発明が解決しようとする課題】
【０００４】
キャリア・アグリゲーションのシナリオにおいて２つのｅＮＢの間でユーザ機器のサービスをハンドオーバするための技術的解決法を欠くという前述の問題を考慮して、本発明は、キャリア・アグリゲーションの用途シナリオにおいてワイヤレス通信ネットワークにおいてソースｅＮＢから宛先ｅＮＢにユーザ機器をハンドオーバするための方法および装置を提案する。
【課題を解決するための手段】
【０００５】
本発明の一実施形態によると、キャリア・アグリゲーションを用いるワイヤレス通信ネットワークにおけるソースｅＮＢにおいて、宛先ｅＮＢにユーザ機器のサービスをハンドオーバするための方法が提供される。この方法は、宛先ｅＮＢと共同でプライマリ・コンポーネント・キャリアを決定するステップと、宛先ｅＮＢからユーザ機器に伝送されるハンドオーバ命令を受信するステップであって、ハンドオーバ命令は、プライマリ・コンポーネント・キャリアの指示情報を含むステップと、ユーザ機器にハンドオーバ命令を転送するステップとを含む。
【０００６】
本発明の他の実施形態によると、キャリア・アグリゲーションを用いるワイヤレス通信ネットワークにおける宛先ｅＮＢにおいて、ソースｅＮＢから宛先ｅＮＢにユーザ機器のサービスをハンドオーバするための方法が提供される。この方法は、ソースｅＮＢと共同でプライマリ・コンポーネント・キャリアを決定するステップと、ユーザ機器に伝送されることになるハンドオーバ命令をソースｅＮＢに伝送するステップであって、ハンドオーバ命令は、プライマリ・コンポーネント・キャリアの指示情報を含むステップとを含む。
【０００７】
本発明のさらなる実施形態によると、キャリア・アグリゲーションを用いるワイヤレス通信ネットワークにおけるユーザ機器において、ソースｅＮＢから宛先ｅＮＢにユーザ機器のサービスをハンドオーバするための方法が提供される。この方法は、ソースｅＮＢからハンドオーバ命令を受信するステップであって、ハンドオーバ命令は、決定されたプライマリ・コンポーネント・キャリアの指示情報を含むステップと、宛先ｅＮＢにアクセスするステップとを含む。
【０００８】
本発明のさらなる実施形態によると、キャリア・アグリゲーションを用いるワイヤレス通信ネットワークにおけるソースｅＮＢにおいて、宛先ｅＮＢにユーザ機器のサービスをハンドオーバするための装置が提供される。装置は、宛先ｅＮＢと共同でプライマリ・コンポーネント・キャリアを決定するように構成された第１の決定デバイスと、宛先ｅＮＢからユーザ機器に伝送されるハンドオーバ命令を受信するように構成された第１の受信デバイスであって、ハンドオーバ命令は、プライマリ・コンポーネント・キャリアの指示情報を含む第１の受信デバイスと、ユーザ機器にハンドオーバ命令を転送するように構成された命令転送デバイスとを含む。
【０００９】
本発明のさらなる実施形態によると、キャリア・アグリゲーションを用いてワイヤレス通信ネットワークにおける宛先ｅＮＢにおいて、ソースｅＮＢから宛先ｅＮＢにユーザ機器のサービスをハンドオーバするための装置が提供される。装置は、ソースｅＮＢと共同でプライマリ・コンポーネント・キャリアを決定するように構成された第２の決定デバイスと、ユーザ機器に伝送されることになるハンドオーバ命令をソースｅＮＢに伝送するように構成された命令伝送デバイスとを含み、ハンドオーバ命令は、プライマリ・コンポーネント・キャリアの指示情報を含む。
【００１０】
本発明のさらなる実施形態によると、キャリア・アグリゲーションを用いるワイヤレス通信ネットワークにおけるユーザ機器おいて、ソースｅＮＢから宛先ｅＮＢにユーザ機器のサービスをハンドオーバするための装置が提供される。装置は、ハンドオーバ命令を受信するように構成された第２の受信デバイスであって、ハンドオーバ命令は、決定されたプライマリ・コンポーネント・キャリアの指示情報を含む第２の受信デバイスと、専用のプリアンブル割り当て情報に従って宛先ｅＮＢにアクセスするように構成されたアクセス・デバイスとを含む。
【００１１】
本発明の方法および装置を用いると、キャリア・アグリゲーションのシナリオにおいて、ソースｅＮＢから宛先ｅＮＢへのユーザ機器のハンドオーバをサポートすることができる。
【００１２】
本発明の一実施形態では、宛先ｅＮＢおよびソースｅＮＢは、プライマリ・コンポーネント・キャリアを共同で決定する。ソースｅＮＢが宛先ｅＮＢとの調整を用いてプライマリ・コンポーネント・キャリアを決定する場合、ソースｅＮＢはユーザ機器から宛先ｅＮＢに測定情報を転送する必要はない。宛先ｅＮＢがソースｅＮＢとの調整を用いてプライマリ・コンポーネント・キャリアを決定する場合、宛先ｅＮＢは、宛先ｅＮＢのトラフィック負荷状態についてソースｅＮＢに通知する必要はない。ソースｅＮＢと宛先ｅＮＢとの間のトラフィック負荷は、前述の両方のシナリオにおいて緩和される。
【００１３】
本発明の他の実施形態では、ユーザ機器からのチャネル品質の測定情報およびトラフィック負荷の情報は、それによってプライマリ・コンポーネント・キャリアを決定するために総合的に考慮され、受信されるハンドオーバ命令における専用のプリアンブル割り当て情報に従って、ユーザ機器が、情報に対応するプライマリ・コンポーネント・キャリアまたはセカンダリ・コンポーネント・キャリアを通じて宛先ｅＮＢにアクセスする間に、より高いアクセス／ハンドオーバ成功率、ユーザ機器のスムーズなハンドオーバ手順、およびハンドオーバ前後のユーザ機器のスムーズな通信手順を達成することができる。
【００１４】
本発明の他の特徴、目的、および利点は、図を参照して、以下に示す限定を目的としない実施形態の詳細な説明を読むことでより明白になるだろう。
【図面の簡単な説明】
【００１５】
【図１】本発明の一実施形態によるソースｅＮＢ、宛先ｅＮＢ、およびユーザ機器を含むワイヤレス通信ネットワークのシステムを示すトポロジー図である。
【図２】本発明の一実施形態によるワイヤレス通信ネットワークにおいて、ソースｅＮＢと宛先ｅＮＢとの間のユーザ機器のサービスをハンドオーバするための方法を示すフローチャートである。
【図３】本発明の一実施形態によるワイヤレス通信ネットワークにおいて、宛先ｅＮＢとの調整を用いてプライマリ・コンポーネント・キャリアをソースｅＮＢが決定するための方法を示すフローチャートである。
【図４】本発明の一実施形態によるワイヤレス通信ネットワークにおいて、ソースｅＮＢとの調整を用いてプライマリ・コンポーネント・キャリアを宛先ｅＮＢが決定するための方法を示すフローチャートである。
【図５】ソースｅＮＢにおいて、本発明の一実施形態により宛先ｅＮＢにユーザ機器のサービスをハンドオーバするための第１のハンドオーバ装置を示す構造図である。
【図６】宛先ｅＮＢにおいて、本発明の一実施形態によりソースｅＮＢから宛先ｅＮＢにユーザ機器のサービスをハンドオーバするための第２のハンドオーバ装置を示す構造図である。
【図７】キャリア・アグリゲーションを用いるワイヤレス通信ネットワークのユーザ機器において、本発明の一実施形態によりソースｅＮＢから宛先ｅＮＢにユーザ機器のサービスをハンドオーバするための第３のハンドオーバ装置を示す構造図である。
【発明を実施するための形態】
【００１６】
すべての図において、同一または類似の参照番号は、同一または類似のステップの特徴またはデバイス（モジュール）を示している。
【００１７】
本発明の限定を目的としない実施形態について、図を参照して以下に詳細に記述する。
【００１８】
一般性を失うことなく、本発明の以下の実施形態はすべて、キャリア・アグリゲーションのシナリオにおけるＬＴＥ−Ａネットワークに適用できるが、本発明は、他のタイプのネットワークにも適用できることは当業者には自明であろう。
【００１９】
図１は、本発明の一実施形態によるワイヤレス通信ネットワークのシステムを示すトポロジー図である。図示するように、システムは、ソースｅＮＢ１０、宛先ｅＮＢ２０、およびユーザ機器３０を含み、ユーザ機器３０のサービスは、ソースｅＮＢ１０から宛先ｅＮＢ２０にハンドオーバされる。
【００２０】
図２は、本発明の一実施形態による方法のフローチャートであり、ワイヤレス通信ネットワークにおいてソースｅＮＢ１０と宛先ｅＮＢ２０との間におけるユーザ機器３０のサービスのハンドオーバに適用される。図示するように、方法は、ソースｅＮＢ１０によって実行される３つのステップＳ１１、Ｓ１２、およびＳ１３、宛先ｅＮＢ２０によって実行される２つのステップＳ２１およびＳ２２、ならびにユーザ機器３０によって実行されるステップＳ３１およびＳ３２を含む。
【００２１】
ステップＳ１１では、ソースｅＮＢ１０は、宛先ｅＮＢ２０と共同でプライマリ・コンポーネント・キャリアを決定する。
【００２２】
ステップＳ２１では、宛先ｅＮＢ２０は、ソースｅＮＢ１０と共同でプライマリ・コンポーネント・キャリアを決定する。
【００２３】
前述のステップＳ１１およびＳ２１を用いて、ソースｅＮＢ１０および宛先ｅＮＢ２０はプライマリ・コンポーネント・キャリアを決定するために互いに調整する。次に、ステップＳ２２で、宛先ｅＮＢ２０は、ユーザ機器３０に伝送されることになるハンドオーバ命令をソースｅＮＢ１０に伝送し、ハンドオーバ命令は、プライマリ・コンポーネント・キャリアの指示情報を含む。
【００２４】
次に、ステップＳ１２で、ソースｅＮＢ１０は、宛先ｅＮＢからユーザ機器に伝送されることになるハンドオーバ命令を受信し、ハンドオーバ命令は、プライマリ・コンポーネント・キャリアの指示情報を含む。次いで、ステップＳ１３では、ソースｅＮＢ１０は、ユーザ機器３０にハンドオーバ命令を転送する。
【００２５】
次に、ステップＳ３１で、ユーザ機器３０は、ソースｅＮＢ１０からハンドオーバ命令を受信し、ハンドオーバ命令は、決定されたプライマリ・コンポーネント・キャリアの指示情報を含む。次に、ステップＳ３２で、ユーザ機器３０は、宛先ｅＮＢ２０にアクセスする。
【００２６】
図３は、ステップＳ１１のフローチャートであり、ソースｅＮＢ１０は、本発明の一実施形態によるワイヤレス通信ネットワークにおいて、宛先ｅＮＢとの調整を用いてプライマリ・コンポーネント・キャリアを決定するための統治デバイスとして機能する。図示するように、ステップＳ１１は、この実施形態において、３つのサブステップＳ１１１、Ｓ１１２、およびＳ１１３を含む。
【００２７】
ステップＳ１１１では、ソースｅＮＢ１０は、ユーザ機器から測定情報を受信する。次に、ステップＳ１１２で、ソースｅＮＢ１０は、測定情報に従って所定のプライマリ・コンポーネント・キャリアを決定する。次いで、ステップＳ１１３で、ソースｅＮＢ１０は、所定のプライマリ・コンポーネント・キャリアの指示情報について宛先ｅＮＢに連続的に通知する。
【００２８】
図４は、本発明の一実施形態によるワイヤレス通信ネットワークにおいて、ソースｅＮＢとの調整を用いてプライマリ・コンポーネント・キャリアを決定するための統治デバイスとしてソースｅＮＢ１０が機能する方法を示すフローチャートである。図示するように、ステップＳ２１は、この実施形態において２つのサブステップＳ２１１およびＳ２１２を含む。
【００２９】
ステップＳ２１１では、宛先ｅＮＢ２０は、ソースｅＮＢ１０から所定のプライマリ・コンポーネント・キャリアの指示情報を受信する。ステップＳ２１２では、宛先ｅＮＢ２０は、測定情報およびトラフィック負荷に従って、プライマリ・コンポーネント・キャリアとして所定のプライマリ・コンポーネント・キャリアを決定するべきかどうかを決定する。オプションとして、宛先ｅＮＢ２０は、測定情報および他の情報に従って、プライマリ・コンポーネント・キャリアとして所定のプライマリ・コンポーネント・キャリアを決定するべきかどうかをさらに決定することができる。
【００３０】
ソースｅＮＢ１０から宛先ｅＮＢ２０にユーザ機器３０のサービスをハンドオーバするための方法について、図１から図４を参照して以下に詳細に記述する。
【００３１】
本発明の一実施形態では、宛先ｅＮＢ２０は、３つのコンポーネント・キャリアＣＣ１、ＣＣ２、およびＣＣ３（図示せず）を用いて構成されている。
【００３２】
本発明の一実施形態では、ソースｅＮＢ１０は統治機器であり、宛先ｅＮＢ２０は、ハンドオーバ手順においてプライマリ・コンポーネント・キャリアを決定するステップで、ソースｅＮＢ１０がプライマリ・コンポーネント・キャリアを決定するのを支援する。最初にステップＳ１１では、ソースｅＮＢ１０は、宛先ｅＮＢ２０と共同で前述の３つのコンポーネント・キャリアからプライマリ・コンポーネント・キャリアを決定する。
【００３３】
この実施形態では、ステップＳ１１は、３つのサブステップＳ１１１、Ｓ１１２、およびＳ１１３を含む。
【００３４】
最初にステップＳ１１１では、ソースｅＮＢ１０はユーザ機器３０から測定情報を受信し、測定情報はチャネル品質などを特定する。
【００３５】
第２にステップＳ１１２では、ソースｅＮＢ１０は、ユーザ機器３０からの測定情報に従って所定のプライマリ・コンポーネント・キャリアを決定する。たとえば、測定情報は、ＣＣ１はチャネル品質がより優れていることを示しており、次いでソースｅＮＢ１０は、所定のプライマリ・コンポーネント・キャリアとしてコンポーネント・キャリアＣＣ１を決定することができる。オプションとして、ステップＳ１１２では、ステップＳ２１２において宛先ｅＮＢ２０がプライマリ・コンポーネント・キャリアを最終的に決定するために、ソースｅＮＢ１０は、より優れたチャネル品質を持つコンポーネント・キャリアから２つ以上の所定のプライマリ・コンポーネント・キャリアをさらに決定することができる。
【００３６】
第３に、ステップＳ１１３では、ソースｅＮＢ１０は、所定のプライマリ・コンポーネント・キャリアの指示情報について、つまり、ＣＣ１が所定のプライマリ・コンポーネント・キャリアとして決定されることを、宛先ｅＮＢ２０に通知する。オプションとして、ソースｅＮＢ１０は、所定のプライマリ・コンポーネント・キャリアＣＣ１に関連するセキュリティ・キーについて宛先ｅＮＢ２０にさらに通知する。さらにセカンダリ・コンポーネント・キャリアが、たとえばＣＣ３として事前に定められているか決定されている場合、ソースｅＮＢ１０は、セカンダリ・コンポーネント・キャリアＣＣ３などの指示情報について宛先ｅＮＢ２０にさらに通知する。
【００３７】
ソースｅＮＢ１０によって実行されるステップＳ１１に対応して、宛先ｅＮＢ２０は、宛先ｅＮＢ２０の側でステップＳ２１において、ソースｅＮＢ１０と共同してプライマリ・コンポーネント・キャリアを決定する。
【００３８】
この実施形態では、ステップＳ２１は、２つのサブステップＳ２１１およびＳ２１２を含む。
【００３９】
ステップＳ２１１では、宛先ｅＮＢ２０は、ソースｅＮＢ１０から所定のプライマリ・コンポーネント・キャリアの指示情報を受信する。すなわち、所定のプライマリ・コンポーネント・キャリアとして決定されているコンポーネント・キャリアＣＣ１である。
【００４０】
ステップＳ２１２では、宛先ｅＮＢ２０は、トラフィック負荷に従って、プライマリ・コンポーネント・キャリアとして、所定のプライマリ・コンポーネント・キャリアＣＣ１を決定するべきかどうかを決定する。オプションとして、宛先ｅＮＢ２０は、測定情報および他の情報に従って、プライマリ・コンポーネント・キャリアとして、所定のプライマリ・コンポーネント・キャリアＣＣ１を決定するべきかどうかをさらに決定することができる。
【００４１】
たとえば、コンポーネント・キャリアＣＣ１を通じたトラフィック負荷が妥当な範囲にあり、プライマリ・コンポーネント・キャリアとして使用できる場合、宛先ｅＮＢ２０は、プライマリ・コンポーネント・キャリアとして、所定のプライマリ・コンポーネント・キャリアＣＣ１を確認する。
【００４２】
オプションとして、宛先ｅＮＢ２０は、ステップＳ２１１とステップＳ２１２との間にソースｅＮＢ１０によって通知された所定のプライマリ・コンポーネント・キャリアを通じて、接続承認制御をさらに実行することができる。
【００４３】
この実施形態では、所定のプライマリ・コンポーネント・キャリアＣＣ１がステップＳ２１２においてプライマリ・コンポーネント・キャリアとして適切ではないと宛先ｅＮＢ２０が決定した場合、たとえば、コンポーネント・キャリアＣＣ１が、コンポーネント・キャリアＣＣ２およびＣＣ３を上回るトラフィック負荷を持っており、この実施形態における十分な負荷に接近している場合、宛先ｅＮＢ２０は、所定のプライマリ・コンポーネント・キャリアより低いトラフィック負荷を持つコンポーネント・キャリアの指示情報についてソースｅＮＢ１０に通知する。すなわち、システムで最低のトラフィック負荷を持つコンポーネント・キャリアＣＣ２が選択され、ソースｅＮＢ１０は、システムで最低のトラフィック負荷を持つコンポーネント・キャリアＣＣ２およびそのトラフィック負荷関連の情報について通知されるか、またはソースｅＮＢ１０は、コンポーネント・キャリアＣＣ２およびＣＣ３の両方、ならびにそれらのトラフィック負荷関連の情報について通知され、この実施形態において、コンポーネント・キャリアＣＣ２およびＣＣ３の両方は、コンポーネント・キャリアＣＣ１より低いトラフィック負荷を持っている。次に、ソースｅＮＢ１０が宛先ｅＮＢ２０からより低いトラフィック負荷を持つコンポーネント・キャリアＣＣ２およびＣＣ３の情報を受信した後、ソースｅＮＢ１０は、ユーザ機器３０からの測定情報を考慮し、チャネル品質などを反映して、プライマリ・コンポーネント・キャリアを総合的に決定する。たとえば、最低のトラフィック負荷およびより優れたチャネル品質を持つＣＣ２が、プライマリ・コンポーネント・キャリアとして選択され、宛先ｅＮＢ２０は、コンポーネント・キャリアＣＣ２がプライマリ・コンポーネント・キャリアとして決定されたことについて通知される。
【００４４】
本発明の前述の実施形態において、ソースｅＮＢ１０と宛先ｅＮＢ２０との間の唯一の対話型調整の後に、プライマリ・コンポーネント・キャリアを決定するプロセスは完了するが、ユーザ機器からのコンポーネント・キャリアの測定情報およびトラフィック負荷を総合的に考慮した後に、ソースｅＮＢ１０によって決定されたプライマリ・コンポーネント・キャリア（たとえばＣＣ２）について宛先ｅＮＢ２０が通知されると、コンポーネント・キャリアＣＣ２の現在のトラフィック負荷状態が、まだプライマリ・コンポーネント・キャリアとしての状態を満たさないことを、コンポーネント・キャリアの現在のトラフィック負荷状態から宛先ｅＮＢ２０が認識した場合、宛先ｅＮＢ２０は、ソースｅＮＢ１０がプライマリ・コンポーネント・キャリアを再び決定するように、ソースｅＮＢ１０（たとえばＣＣ３）によって決定されたプライマリ・コンポーネント・キャリアＣＣ２より低いトラフィック負荷を持つコンポーネント・キャリアの指示情報についてソースｅＮＢ１０にさらに通知できることは当業者には自明であろう。ソースｅＮＢ１０によって再び決定されたプライマリ・コンポーネント・キャリアが、宛先ｅＮＢ２０によって確認されるまで、このプロセスは繰り返し実行することができる。本発明は、本発明のこの実施形態による方法において、プライマリ・コンポーネント・キャリアを確認するために、ソースｅＮＢ１０と宛先ｅＮＢ２０との間の対話について上記の特定の回数に限定されない。
【００４５】
本発明の他の実施形態では、宛先ｅＮＢ２０は統治機器であり、ソースｅＮＢ１０は、ハンドオーバ手順において調整された方法でプライマリ・コンポーネント・キャリアを決定するステップにおいて、宛先ｅＮＢ２０がプライマリ・コンポーネント・キャリアを決定するのを支援する。
【００４６】
最初にステップＳ１１で、ソースｅＮＢ１０は、宛先ｅＮＢ２０と共同して前述の３つのコンポーネント・キャリアからプライマリ・コンポーネント・キャリアを決定する。この実施形態では、ステップＳ１１は、次のサブステップを含む：最初に、ソースｅＮＢ１０は、ユーザ機器３０から宛先ｅＮＢ２０のコンポーネント・キャリアＣＣ１、ＣＣ２、およびＣＣ３に関する測定情報を受信し、情報は、対応するチャネルの品質状況を反映することができ、次に、ソースｅＮＢ１０は、宛先ｅＮＢ２０に前述の測定情報を転送し、オプションとして、ソースｅＮＢ１０から宛先ｅＮＢ２０に転送される情報は、それぞれのコンポーネント・キャリアに関連するセキュリティ・キーをさらに含み、セカンダリ・コンポーネント・キャリアがソースｅＮＢ１０によって決定されている場合、ソースｅＮＢ１０から宛先ｅＮＢ２０に転送される情報は、セカンダリ・コンポーネント・キャリアなどの指示情報をさらに含むことができる。
【００４７】
ソースｅＮＢ１０によって実行されるステップＳ１１に対応して、宛先ｅＮＢ２０は、宛先ｅＮＢ２０の側でステップＳ２１において、ソースｅＮＢ１０と共同してプライマリ・コンポーネント・キャリアを決定する。この実施形態では、ステップＳ２１は、次のステップを含む：最初に、宛先ｅＮＢ２０は、ソースｅＮＢ１０からユーザ機器３０によって報告された測定情報を受信し、次に、宛先ｅＮＢ２０は、コンポーネント・キャリアの前述の測定情報およびプライマリ・コンポーネント・キャリアを決定するために宛先ｅＮＢ２０自体が構成されているコンポーネント・キャリアＣＣ１、ＣＣ２、およびＣＣ３のトラフィック負荷を総合的に考慮する。たとえば、測定情報は、そのチャネル品質がより優れていることを反映している一方、コンポーネント・キャリアＣＣ２は、より低いトラフィック負荷を持っている場合、宛先ｅＮＢ２０は、プライマリ・コンポーネント・キャリアとしてコンポーネント・キャリアＣＣ２を決定する。
【００４８】
前述のステップを用いて、コンポーネント・キャリアＣＣ２は、プライマリ・コンポーネント・キャリアとして決定され、次いでステップＳ２２において、宛先ｅＮＢ２０は、ユーザ機器３０に伝送されることになるハンドオーバ命令をソースｅＮＢ１０に伝送し、ハンドオーバ命令は、コンポーネント・キャリアＣＣ２がプライマリ・コンポーネント・キャリアとして決定されるという指示情報を含む。オプションとして、ハンドオーバ命令は、それぞれのコンポーネント・キャリアＣＣ１、ＣＣ２、およびＣＣ３を通じて専用のプリアンブルの割り当て情報をさらに含む。次いでステップＳ１２で、ソースｅＮＢ１０が、宛先ｅＮＢ２０からユーザ機器３０に伝送されることになる前述のハンドオーバ命令を受信する。次にステップＳ１３では、ソースｅＮＢ１０は、ユーザ機器３０にハンドオーバ命令を転送する。
【００４９】
それに応じて、ユーザ機器３０の側でソースｅＮＢ１０から宛先ｅＮＢ２０にユーザ機器のサービスをハンドオーバするための方法のフローチャートは、ステップＳ３１およびステップＳ３２を含む。
【００５０】
ステップＳ３１では、ユーザ機器３０は、ソースｅＮＢ１０から転送されたハンドオーバ命令を受信し、ハンドオーバ命令は、決定されたプライマリ・コンポーネント・キャリアＣＣ２の指示情報を含む。オプションとして、ハンドオーバ命令は、専用のプリアンブルの割り当て情報をさらに含む。
【００５１】
次に、ステップＳ３２で、ユーザ機器３０は、宛先ｅＮＢ２０にアクセスする。たとえば、ユーザ機器３０は、ハンドオーバ命令に含まれる専用のプリアンブルの割り当て情報に従って宛先ｅＮＢ２０にアクセスする。あるいは、ハンドオーバ命令が専用のプリアンブル割り当て情報を含んでいない場合、ユーザ機器３０は、宛先ｅＮＢ２０に対するコンテンション・ベースのアクセスを直接実行することができる。ハンドオーバ命令は、それぞれのコンポーネント・キャリアＣＣ１、ＣＣ２、およびＣＣ３を通じて専用のプリアンブルの割り当て情報を含む。たとえば、専用のプリアンブルは、決定されたプライマリ・コンポーネント・キャリアＣＣ２を通じて割り当てられ、次いでユーザ機器３０は、プライマリ・コンポーネント・キャリアＣＣ２を通じて競合の無いコンテンション・フリー（ｃｏｎｔｅｎｔｉｏｎ−ｆｒｅｅ）のアクセスを実行する。プライマリ・コンポーネント・キャリアＣＣ２を通じて十分なプリアンブル・リソースがないために、宛先ｅＮＢ２０が、セカンダリ・コンポーネント・キャリアを通じて（たとえばＣＣ３を通じて）専用のプリアンブルを割り当てる場合、ユーザ機器３０は、コンポーネント・キャリアＣＣ３を通じてコンテンション・フリーのアクセスを実行する。オプションとして、セカンダリ・コンポーネント・キャリアＣＣ３を通じて実行したコンテンション・フリーのアクセスが失敗した場合、ユーザ機器３０は、プライマリ・コンポーネント・キャリアＣＣ２を通じてコンテンション・ベースのアクセスをさらに実行する。また、オプションとして、プライマリ・コンポーネント・キャリアＣＣ２を通じてユーザ機器３０によって実行されたコンテンション・フリーのアクセスが失敗した場合、コンテンション・ベースのアクセスは、プライマリ・コンポーネント・キャリアＣＣ２を通じて再び実行することができる。もちろん、このとき、キャリアのチャネル状態がひどいために、プライマリ・コンポーネント・キャリアＣＣ２を通じて実行されたコンテンション・フリーのアクセスは失敗することがあり、これは短期間には緩和されない場合があるため、ユーザ機器３０は、プライマリ・コンポーネント・キャリアＣＣ２を通じてコンテンション・ベースのアクセスを再び実行する必要はない。このとき、ユーザ機器３０は、プライマリ・コンポーネント・キャリアＣＣ２を通じて実行されたコンテンション・フリーのアクセスが失敗した後に、アクセス／ハンドオーバの失敗を直接発表することができる。
【００５２】
本発明の他の実施形態では、ソースｅＮＢ１０は、宛先ｅＮＢ２０のセカンダリ・コンポーネント・キャリアを決定するための統治デバイスでもよい。この実施形態では、次のステップがソースｅＮＢ１０の側で実行される：ソースｅＮＢ１０が、ユーザ機器３０に対するセカンダリ・コンポーネント・キャリアを決定し、宛先ｅＮＢ２０にセカンダリ・コンポーネント・キャリアの指示情報を伝送する。次いでステップＳ１２では、ソースｅＮＢ１０によって受信されたハンドオーバ命令は、決定されたセカンダリ・コンポーネント・キャリアの指示情報をさらに含むことができる。
【００５３】
たとえば、ソースｅＮＢ１０は、ユーザ機器３０からソースｅＮＢ１０によって取得された測定情報に従って、ユーザ機器３０に対する１つまたは複数の所定のセカンダリ・コンポーネント・キャリア（たとえばＣＣ３）を決定し、ＣＣ３がセカンダリ・コンポーネント・キャリアとして決定されたという指示情報について宛先ｅＮＢ２０に通知する。宛先ｅＮＢ２０のトラフィック負荷状態に従って、およびオプションとしてさらに、ユーザ機器３０によって報告された測定情報に従って、宛先ｅＮＢ２０は、ユーザ機器３０のセカンダリ・コンポーネント・キャリアとしてソースｅＮＢ１０によって決定された所定のセカンダリ・コンポーネント・キャリアを直接受け入れることができるか、またはユーザ機器３０のセカンダリ・コンポーネント・キャリア（複数可）としてソースｅＮＢ１０によって決定された複数の所定のセカンダリ・コンポーネント・キャリアの１つまたは複数を決定する。次に、宛先ｅＮＢ２０は、セカンダリ・コンポーネント・キャリア（複数可）の指示情報を含むハンドオーバ命令をソースｅＮＢ１０に伝送し、ソースｅＮＢ１０は、ユーザ機器３０にハンドオーバ命令を転送する。ユーザ機器３０は、ハンドオーバ命令に含まれているプライマリ・コンポーネント・キャリア、およびセカンダリ・コンポーネント・キャリア（複数可）の指示情報、ならびにコンポーネント・キャリアを通じた専用のプリアンブルの割り当て情報に従って宛先ｅＮＢ２０にアクセスする。
【００５４】
本発明のさらなる実施形態では、宛先ｅＮＢ２０は、セカンダリ・コンポーネント・キャリアを決定するための統治デバイスでもよい。この実施形態では、ユーザ機器３０に対する１つまたは複数のセカンダリ・コンポーネント・キャリアを決定するステップは、宛先ｅＮＢ２０の側で実行される。次いでステップＳ２１では、宛先ｅＮＢ２０によって伝送されたハンドオーバ命令は、決定されたセカンダリ・コンポーネント・キャリア（複数可）の指示情報をさらに含むことができる。
【００５５】
たとえば、ソースｅＮＢ１０は、ユーザ機器３０から宛先ｅＮＢ２０に測定情報をすべて転送し、宛先ｅＮＢ２０は、ユーザ機器３０から測定情報を受信し、次いで情報および宛先ｅＮＢ２０のトラフィック負荷情報に従って、ユーザ機器３０に対するセカンダリ・コンポーネント・キャリア（たとえばＣＣ１およびＣＣ３）（複数可）を決定する。さらにステップＳ２２では、宛先ｅＮＢ２０は、ハンドオーバ命令において、決定されたセカンダリ・コンポーネント・キャリア（複数可）の指示情報についてユーザ機器３０に通知する。
【００５６】
妥当な変更の後に、本発明の前述の実施形態における方法は、セカンダリ・コンポーネント・キャリアが、２つのｅＮＢの間でユーザ機器のサービスのハンドオーバの間に決定されるシナリオにも適用できることは当業者には自明であろう。ユーザ機器３０からの測定情報および宛先ｅＮＢ２０のトラフィック負荷情報を総合的に考慮することによって、セカンダリ・コンポーネント・キャリア（複数可）は決定され、サービスを提供するｅＮＢが切り替えられるユーザ機器に転送される。本発明に対する前述の変更も本発明の範囲に入る。異なる適用対象のために本発明の範囲が限定されるものではない。
【００５７】
図５は、ソースｅＮＢにおいて、本発明の一実施形態により宛先ｅＮＢにユーザ機器のサービスをハンドオーバするための第１のハンドオーバ装置１００を示す構造図である。図示するように、第１のハンドオーバ装置１００は、第１の決定デバイス１０１、第１の受信デバイス１０２、および命令転送デバイス１０３を含む。
【００５８】
第１の決定デバイス１０１は、宛先ｅＮＢ２０と共同してプライマリ・コンポーネント・キャリアを決定するための前述の方法のステップＳ１１を実行するように構成されている。
【００５９】
第１の受信デバイス１０２は、宛先ｅＮＢ２０からユーザ機器３０に伝送されるハンドオーバ命令を受信するための前述の方法のステップＳ１２を実行するように構成されており、ハンドオーバ命令は、プライマリ・コンポーネント・キャリアの指示情報を含む。オプションとして、ハンドオーバ命令は、専用のプリアンブル割り当て情報をさらに含む。オプションとして、ハンドオーバ命令は、プライマリ・コンポーネント・キャリアに対応するセキュリティ・キー情報および／またはセカンダリ・コンポーネント・キャリアの関連情報をさらに含む。
【００６０】
命令転送デバイス１０３は、ユーザ機器３０にハンドオーバ命令を転送するための前述の方法のステップＳ１３を実行するように構成されている。
【００６１】
図６は、宛先ｅＮＢにおいて、本発明の一実施形態によりソースｅＮＢから宛先ｅＮＢ２０にユーザ機器のサービスをハンドオーバするための第２のハンドオーバ装置２００を示す構造図である。図示するように、第２のハンドオーバ装置２００は、第２の決定デバイス２０１および命令伝送デバイス２０２を含む。
【００６２】
第２の決定デバイス２０１は、ソースｅＮＢ１０と共同してプライマリ・コンポーネント・キャリアを決定するための前述の方法のステップＳ２１を実行するように構成されている。
【００６３】
命令伝送デバイス２０２は、ユーザ機器３０に伝送されることになるハンドオーバ命令をソースｅＮＢ１０に伝送するための前述の方法のステップＳ２２を実行するように構成され、ハンドオーバ命令は、プライマリ・コンポーネント・キャリアの指示情報を含む。オプションとして、ハンドオーバ命令は、専用のプリアンブル割り当て情報をさらに含む。オプションとして、ハンドオーバ命令は、プライマリ・コンポーネント・キャリアに対応するセキュリティ・キー情報および／またはセカンダリ・コンポーネント・キャリアの関連情報をさらに含む。
【００６４】
オプションとして、第２の決定デバイス２０１は、次のモジュール（図示せず）を含む：
−ユーザ機器から測定情報を受信するように構成された受信モジュール。
−測定情報に従って所定のプライマリ・コンポーネント・キャリアを決定するように構成された第１の決定モジュール。
−所定のプライマリ・コンポーネント・キャリアの指示情報について宛先ｅＮＢに通知するように構成された通知モジュール。
【００６５】
本発明の他の実施形態によると、第２の決定デバイス２０１は、次のモジュール（図示せず）を含む：
−ユーザ機器３０から宛先ｅＮＢ２０のコンポーネント・キャリアに関する測定情報を受信するように構成された第１の受信モジュール。
−宛先ｅＮＢ２０に測定情報を転送するように構成された転送モジュール。
【００６６】
図７は、キャリア・アグリゲーションを用いるワイヤレス通信ネットワークのユーザ機器において、本発明の一実施形態によりソースｅＮＢから宛先ｅＮＢにユーザ機器のサービスをハンドオーバするための第３のハンドオーバ装置３００を示す構造図である。図示するように、第３のハンドオーバ装置３００は、第２の受信デバイス３０１およびアクセス・デバイス３０２を含む。
【００６７】
第２の受信デバイス３０１は、ソースｅＮＢの側からハンドオーバ命令を受信するための前述の方法のステップＳ３１を実行するように構成され、ハンドオーバ命令は、決定されたプライマリ・コンポーネント・キャリアの指示情報を含む。オプションとして、ハンドオーバ命令は、専用のプリアンブル割り当て情報をさらに含む。
【００６８】
アクセス・デバイス３０２は、宛先ｅＮＢ２０にアクセスするための前述の方法のステップＳ３２を実行するように構成されている。
【００６９】
オプションとして、第２の受信デバイス３０１は、次のモジュール（図示せず）をさらに含む：
−ソースｅＮＢから所定のプライマリ・コンポーネント・キャリアの指示情報を受信するように構成された第２の受信モジュール。
−トラフィック負荷に従って、プライマリ・コンポーネント・キャリアとして、所定のプライマリ・コンポーネント・キャリアを決定するべきかどうかを決定するように構成された第２の決定モジュール。
【００７０】
本発明の他の実施形態によると、第２の受信デバイス３０１は、次のモジュール（図示せず）をさらに含む：
−ソースｅＮＢからユーザ機器の測定情報を受信するように構成された第３の受信モジュール。
−測定情報および宛先ｅＮＢのトラフィック負荷に従ってプライマリ・コンポーネント・キャリアを決定するように構成された第３の決定モジュール。
【００７１】
前述の実施形態は、例示のみを目的とするものであり、本発明を限定するものではないことに注意されたい。任意に配置を組み合わせて有利に配置された異なる実施形態で表現される異なる技術的解決法の使用を含む、本発明の精神から逸脱しない任意の技術的解決法も本発明の範囲に含まれるものとする。さらに、特許請求の範囲における参照番号は、当該の特許請求の範囲を限定するものとして解釈するべきではなく、「含む（ｃｏｍｐｒｉｓｉｎｇ）」という用語は、他の特許請求の範囲または記述に記載されている他のデバイスまたはステップを排除するものではなく、デバイスの前に付く「１つの（ａ）」または「１つの（ａｎ）」は、そのようなデバイスが複数存在することを排除するものではなく、装置に含まれている複数のデバイスの１つまたは複数の機能（複数可）は、ハードウェアまたはソフトウェアにおいて同じデバイスによって実行することができ、「第１」、「第２」、「第３」などの用語は、単に名前を表すことを意図するものであり、特定の順序を示すものではない。
【図１】
0005543667.tif 000002
【図２】
0005543667.tif 000003
【図３】
0005543667.tif 000004
【図４】
0005543667.tif 000005
【図５】
0005543667.tif 000006
【図６】
0005543667.tif 000007
【図７】
0005543667.tif 000008